(57)【要約】【課題】電力消費の調整に関する依頼先のより適切な管理を可能とする表示処理装置、表示処理方法および表示処理プログラムを提供する。【解決手段】表示処理装置は、施設における機器の制御内容を示す制御情報、ならびに系統から前記施設への電力供給量、および電気料金の少なくともいずれか一方を示す電力管理情報を取得する取得部と、前記取得部により取得された前記制御情報および前記電力管理情報に基づいて、前記制御内容の時系列変化と、前記電力供給量の時系列変化および前記電気料金の時系列変化の少なくともいずれか一方とを対応付けて表示する処理を行う表示処理部とを備える。【選択図】図７
2018207709.tif 000002
【特許請求の範囲】
【請求項１】
施設における機器の制御内容を示す制御情報、ならびに系統から前記施設への電力供給量、および電気料金の少なくともいずれか一方を示す電力管理情報を取得する取得部と、
前記取得部により取得された前記制御情報および前記電力管理情報に基づいて、前記制御内容の時系列変化と、前記電力供給量の時系列変化および前記電気料金の時系列変化の少なくともいずれか一方とを対応付けて表示する処理を行う表示処理部とを備える、表示処理装置。
【請求項２】
前記表示処理部は、前記系統から要請される電力消費の抑制期間をさらに対応付けて表示する処理を行う、請求項１に記載の表示処理装置。
【請求項３】
前記表示処理部は、前記電力供給量の時系列変化の予測および前記電気料金の時系列変化の予測の少なくともいずれか一方を、さらに対応付けて表示する処理を行う、請求項１または請求項２に記載の表示処理装置。
【請求項４】
前記表示処理部は、前記電力供給量の時系列変化および前記電気料金の時系列変化の両方を表示する処理を行う、請求項１から請求項３のいずれか１項に記載の表示処理装置。
【請求項５】
表示処理装置における表示処理方法であって、
施設における機器の制御内容を示す制御情報、ならびに系統から前記施設への電力供給量、および電気料金の少なくともいずれか一方を示す電力管理情報を取得するステップと、
取得した前記制御情報および前記電力管理情報に基づいて、前記制御内容の時系列変化と、前記電力供給量の時系列変化および前記電気料金の時系列変化の少なくともいずれか一方とを対応付けて表示する処理を行うステップとを含む、表示処理方法。
【請求項６】
表示処理装置において用いられる表示処理プログラムであって、
コンピュータを、
施設における機器の制御内容を示す制御情報、ならびに系統から前記施設への電力供給量、および電気料金の少なくともいずれか一方を示す電力管理情報を取得する取得部と、
前記取得部により取得された前記制御情報および前記電力管理情報に基づいて、前記制御内容の時系列変化と、前記電力供給量の時系列変化および前記電気料金の時系列変化の少なくともいずれか一方とを対応付けて表示する処理を行う表示処理部、
として機能させるための、表示処理プログラム。
【発明の詳細な説明】
【技術分野】
【０００１】
本発明は、表示処理装置、表示処理方法および表示処理プログラムに関する。
【背景技術】
【０００２】
従来、電力需給が逼迫している場合等に一般家庭およびオフィス等の電力需要施設における電力消費が抑制されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、家庭またはビル等の電力需要施設へのエネルギーマネジメントシステムｘＥＭＳ（Ｅｎｅｒｇｙ  Ｍａｎａｇｅｍｅｎｔ  Ｓｙｓｔｅｍ）の導入が行われている。
【０００５】
ｘＥＭＳとは、電力需要施設における消費電力量を監視し、電力需要施設における機器または設備等の運転状態を管理することによって、電力需要施設における電力消費の抑制を図るためのシステムである。ｘＥＭＳは、家庭向けである場合、ＨＥＭＳ（Ｈｏｍｅ  Ｅｎｅｒｇｙ  Ｍａｎａｇｅｍｅｎｔ  Ｓｙｓｔｅｍ）となり、ビル向けである場合、ＢＥＭＳ（Ｂｕｉｌｄｉｎｇ  Ｅｎｅｒｇｙ  Ｍａｎａｇｅｍｅｎｔ  Ｓｙｓｔｅｍ）となる。
【０００６】
ｘＥＭＳは、たとえばＶＰＰ（Ｖｉｒｔｕａｌ  Ｐｏｗｅｒ  Ｐｌａｎｔ）事業者すなわちアグリゲータと呼ばれる事業者と連携することによって電力需要の抑制を実現する。アグリゲータは、ｘＥＭＳを導入した電力需要施設に対してエネルギー管理支援サービスを提供する。
【先行技術文献】
【特許文献】
【０００７】
【特許文献１】特開２０１２−２０５３５８号公報
【発明の概要】
【発明が解決しようとする課題】
【０００８】
送配電事業者および電力小売り事業者は、多くの電力需要施設にｘＥＭＳが導入されることにより、全体的な電力需要を広範囲に調整することが容易となる。
【０００９】
たとえば、送配電事業者および電力小売り事業者は、電力需給の逼迫が予測される場合に、アグリゲータに対して予め節電依頼を行う。そして、アグリゲータは、節電依頼に従って、電力需要施設における機器の運転状態を管理する。
【００１０】
しかしながら、依頼先における機器の管理内容が適切でない場合、電力需給が逼迫したり、電力の供給が需要を上回ったりし、系統における電力の需給バランスが崩れるため、好ましくない。このため、電力消費の調整の依頼先をより適切に管理することのできる技術が望まれる。
【００１１】
この発明は、上述の課題を解決するためになされたもので、その目的は、電力消費の調整に関する依頼先のより適切な管理を可能とする表示処理装置、表示処理方法および表示処理プログラムを提供することである。
【課題を解決するための手段】
【００１２】
（１）上記課題を解決するために、この発明のある局面に係わる表示処理装置は、施設における機器の制御内容を示す制御情報、ならびに系統から前記施設への電力供給量、および電気料金の少なくともいずれか一方を示す電力管理情報を取得する取得部と、前記取得部により取得された前記制御情報および前記電力管理情報に基づいて、前記制御内容の時系列変化と、前記電力供給量の時系列変化および前記電気料金の時系列変化の少なくともいずれか一方とを対応付けて表示する処理を行う表示処理部とを備える。
【００１３】
（５）上記課題を解決するために、この発明のある局面に係わる表示処理方法は、表示処理装置における表示処理方法であって、施設における機器の制御内容を示す制御情報、ならびに系統から前記施設への電力供給量、および電気料金の少なくともいずれか一方を示す電力管理情報を取得するステップと、取得した前記制御情報および前記電力管理情報に基づいて、前記制御内容の時系列変化と、前記電力供給量の時系列変化および前記電気料金の時系列変化の少なくともいずれか一方とを対応付けて表示する処理を行うステップとを含む。
【００１４】
（６）上記課題を解決するために、この発明のある局面に係わる表示処理プログラムは、表示処理装置において用いられる表示処理プログラムであって、コンピュータを、施設における機器の制御内容を示す制御情報、ならびに系統から前記施設への電力供給量、および電気料金の少なくともいずれか一方を示す電力管理情報を取得する取得部と、前記取得部により取得された前記制御情報および前記電力管理情報に基づいて、前記制御内容の時系列変化と、前記電力供給量の時系列変化および前記電気料金の時系列変化の少なくともいずれか一方とを対応付けて表示する処理を行う表示処理部、として機能させるためのプログラムである。
【００１５】
本発明は、このような特徴的な処理部を備える表示処理装置として実現することができるだけでなく、表示処理装置を備える表示処理システムとして実現することができる。また、本発明は、表示処理装置の一部または全部を実現する半導体集積回路として実現することができる。
【発明の効果】
【００１６】
本発明によれば、電力消費の調整に関する依頼先のより適切な管理を可能とすることができる。
【図面の簡単な説明】
【００１７】
【図１】図１は、本発明の実施の形態に係る電力管理システムの構成を示す図である。
【図２】図２は、本発明の実施の形態に係る電力管理システムにおける電力管理サーバの構成を示す図である。
【図３】図３は、図１に示す電力管理サーバにより表示されたイベント画面の例を示す図である。
【図４】図４は、図１に示す電力管理サーバにより表示された全体実績画面の例を示す図である。
【図５】図５は、図１に示す電力管理サーバにより表示された個別実績画面の例を示す図である。
【図６】図６は、図１に示す電力管理サーバにより表示された制御内容画面の例を示す図である。
【図７】図７は、図１に示す電力管理サーバにより表示された詳細画面の例を示す図である。
【図８】図８は、本発明の実施の形態に係る電力管理システムにおけるＤＲ実行前の各処理のシーケンスの一例を示す図である。
【図９】図９は、図８に示す表示処理における動作の流れを示すフローチャートの一例を示す図である。
【発明を実施するための形態】
【００１８】
最初に、本発明の実施形態の内容を列記して説明する。
【００１９】
（１）本発明の実施の形態に係る表示処理装置は、施設における機器の制御内容を示す制御情報、ならびに系統から前記施設への電力供給量、および電気料金の少なくともいずれか一方を示す電力管理情報を取得する取得部と、前記取得部により取得された前記制御情報および前記電力管理情報に基づいて、前記制御内容の時系列変化と、前記電力供給量の時系列変化および前記電気料金の時系列変化の少なくともいずれか一方とを対応付けて表示する処理を行う表示処理部とを備える。
【００２０】
このような構成により、機器が制御されることによる効果、すなわち電力供給量の変化および電気料金の変化のうちの少なくともいずれか一方を、視覚的に容易に把握することができる。したがって、電力消費の調整に関する依頼先のより適切な管理を可能とすることができる。
【００２１】
（２）好ましくは、前記表示処理部は、前記系統から要請される電力消費の抑制期間をさらに対応付けて表示する処理を行う。
【００２２】
このような構成により、たとえば、抑制期間における電力供給量と、抑制期間以外の期間における電力供給量とを比較したり、抑制期間における電気料金と、抑制期間以外の期間における電気料金とを比較したりすることが可能となる。これにより、抑制期間において機器が制御されることによる効果を明確に把握することができる。
【００２３】
（３）好ましくは、前記表示処理部は、前記電力供給量の時系列変化の予測および前記電気料金の時系列変化の予測の少なくともいずれか一方を、さらに対応付けて表示する処理を行う。
【００２４】
このような構成により、たとえば機器が制御されない場合における予測内容を把握することにより、機器が制御されることによる効果をより一層明確に把握することができる。
【００２５】
（４）好ましくは、前記表示処理部は、前記電力供給量の時系列変化および前記電気料金の時系列変化の両方を表示する処理を行う。
【００２６】
このような構成により、たとえば、電気料金の時系列変化を、機器が制御されることによる変化であるのか、または時間帯に応じた電気料金の単価の推移による変化であるのかを区別することができるため、機器が制御されることによる効果をより正確に把握することができる。
【００２７】
（５）本発明の実施の形態に係る表示処理方法は、表示処理装置における表示処理方法であって、施設における機器の制御内容を示す制御情報、ならびに系統から前記施設への電力供給量、および電気料金の少なくともいずれか一方を示す電力管理情報を取得するステップと、取得した前記制御情報および前記電力管理情報に基づいて、前記制御内容の時系列変化と、前記電力供給量の時系列変化および前記電気料金の時系列変化の少なくともいずれか一方とを対応付けて表示する処理を行うステップとを含む。
【００２８】
このような方法により、機器が制御されることによる効果、すなわち電力供給量の変化および電気料金の変化のうちの少なくともいずれか一方を、視覚的に容易に把握することができる。したがって、電力消費の調整に関する依頼先のより適切な管理を可能とすることができる。
【００２９】
（６）本発明の実施の形態に係る表示処理プログラムは、表示処理装置において用いられる表示処理プログラムであって、コンピュータを、施設における機器の制御内容を示す制御情報、ならびに系統から前記施設への電力供給量、および電気料金の少なくともいずれか一方を示す電力管理情報を取得する取得部と、前記取得部により取得された前記制御情報および前記電力管理情報に基づいて、前記制御内容の時系列変化と、前記電力供給量の時系列変化および前記電気料金の時系列変化の少なくともいずれか一方とを対応付けて表示する処理を行う表示処理部、として機能させるためのプログラムである。
【００３０】
このような構成により、機器が制御されることによる効果、すなわち電力供給量の変化および電気料金の変化のうちの少なくともいずれか一方を、視覚的に容易に把握することができる。したがって、電力消費の調整に関する依頼先のより適切な管理を可能とすることができる。
【００３１】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３２】
＜構成および基本動作＞
［全体構成］
図１は、本発明の実施の形態に係る電力管理システムの構成を示す図である。
【００３３】
図１を参照して、電力管理システム３０１は、電力管理サーバ（表示処理装置）１０１と、系統側サーバ１２１と、端末装置１７１と、３つの需要家装置２０２とを備える。
【００３４】
図１では、３つの需要家装置２０２を代表的に示しているが、さらに多数または少数の需要家装置２０２が設けられてもよい。また、需要家装置２０２に対応して２つの負荷（機器）２０５を代表的に示しているが、さらに多数または少数の負荷２０５が需要家装置２０２に対応して設けられてもよい。
【００３５】
電力管理システム３０１では、たとえば、電力の需給が逼迫する場合、または電力の需給が逼迫するおそれがある場合において、各需要家が消費電力を調整するための需要応答（ＤＲ：Ｄｅｍａｎｄ  Ｒｅｓｐｏｎｓｅ）、すなわち各需要家が消費電力を抑制するためのＤＲを発行することが可能である。
【００３６】
電力管理システム３０１における系統側サーバ１２１は、電力系統側である送配電事業者または電力小売事業者等によって運用され、電力消費の調整に関する依頼を示す調整情報Ｓ１を電力管理サーバ１０１へ送信する。調整情報Ｓ１は、たとえば、電力系統側から要請される電力消費の抑制期間（以下、ＤＲ期間とも称する。）の開始タイミングおよびＤＲ期間の長さ、ならびに電力消費の調整量を示す依頼電力Ｒ１を含む。
【００３７】
なお、調整情報Ｓ１には、ＤＲ期間の長さの代わりにＤＲ期間の終了タイミングが含まれてもよい。また、依頼電力Ｒ１には、たとえば、ＤＲ期間を３０分ごとの複数の分割期間に区分けした場合における、分割期間ごとの電力消費の調整量が含まれてもよい。
【００３８】
需要家装置２０２は、電力会社から電力の供給を受けるビル、工場または一般家庭等の電力需要施設において用いられる。需要家装置２０２は、電力需要施設ごとに１つ設けられてもよいし、電力需要施設ごとに複数設けられてもよい。電力会社は、たとえば発電事業者または電力小売り事業者である。
【００３９】
需要家装置２０２は、電力需要施設における１または複数の負荷２０５を制御可能である。負荷２０５は、ヒートポンプ技術を利用して空気の熱により湯を沸かすことのできるエコキュート、二次電池をエネルギー源とする二次電池式電気自動車およびプラグインハイブリッドカー、ならびに照明、テレビ、蓄電池および空調装置等の電気機器である。
【００４０】
より詳細には、需要家装置２０２は、電気機器の動作を制御することによって消費電力の削減を図るためのｘＥＭＳにおいて用いられる装置であり、たとえばアグリゲータによって導入される。
【００４１】
電力管理サーバ１０１は、たとえばアグリゲータによって運用され、１または複数の需要家装置２０２と通信を行うことにより、１または複数の電力需要施設における電力消費を管理する。電力管理サーバ１０１は、たとえば、需要家装置２０２が設けられる電力需要施設から遠隔の場所に設置されることが多い。
【００４２】
卸電力取引所サーバ１１１は、たとえば、１時間前契約および４時間前契約等の契約ごとの電力取引市場を提供する。
【００４３】
端末装置１７１は、たとえば、パーソナルコンピュータであり、アグリゲータにおけるオペレータによって操作される。
【００４４】
［電力管理サーバ］
図２は、本発明の実施の形態に係る電力管理システムにおける電力管理サーバの構成を示す図である。
【００４５】
図２を参照して、電力管理サーバ１０１は、通信部２１と、表示処理部２２と、記憶部２３と、情報処理部（取得部）２４とを含む。
【００４６】
電力管理サーバ１０１における通信部２１は、他の装置と情報の送受信を行うことが可能である。この例では、通信部２１は、卸電力取引所サーバ１１１、系統側サーバ１２１、端末装置１７１および需要家装置２０２と情報の送受信を行うことが可能である。
【００４７】
記憶部２３は、需要家情報、ＤＲ可能量情報、制御情報、電力管理情報、系統側サーバ１２１からの調整情報Ｓ１、および各種登録情報を保持する。
【００４８】
需要家情報は、たとえば、アグリゲータの管理する各需要家の需要家ＩＤと、需要家ＩＤに対応する、契約内容、スケジュールおよび需要家装置２０２の装置ＩＤとを含む。たとえば、需要家ＩＤは、契約内容に応じたグループに属する。これらの契約には、電力消費の調整量に対するインセンティブがそれぞれ定められている。スケジュールは、たとえば需要家がＤＲに参加できない期間を示す。
【００４９】
制御情報は、たとえば、電力管理システム３０１に含まれる複数の負荷２０５の各々の制御内容を示す情報であり、電力管理サーバ１０１により作成される。
【００５０】
電力管理情報は、各需要家のＤＲの実績を示す。具体的には、電力管理情報は、アグリゲータの管理する各需要家の需要家ＩＤと、各需要家ＩＤに対応する需要家施設においてＤＲ期間に調整された電力消費量の実績値とを含む。
【００５１】
また、電力管理情報は、さらに、系統から各需要家への電力供給量（以下、「実績受電量」とも称する。）、および需要家ごとの、受電量に応じて支払う電気料金である従量料金（以下、「実績料金」とも称する。）を示す。なお、電力管理情報は、実績受電量および実績料金のいずれか一方を含まない情報であってもよい。ＤＲ可能量情報および各種登録情報については、後述する。
【００５２】
情報処理部２４は、たとえば、記憶部２３に保存された電力管理情報に基づいて、需要家ごとに、翌日の受電量を予測する。そして、情報処理部２４は、予測結果である需要家ごとの予測受電量を示す情報を、記憶部２３に保存する。
【００５３】
また、情報処理部２４は、需要家ごとの予測受電量に基づいて、需要家ごとに、翌日の従量料金を予測し、予測結果である需要家ごとの予測料金を示す情報を記憶部２３に保存する。
【００５４】
表示処理部２２は、たとえば、記憶部２３に保存された各種情報に基づいて、図示しない表示装置に画面を表示する表示処理を行う。以下、電力管理サーバ１０１による表示処理の詳細について説明する。
【００５５】
［電力管理サーバによる表示処理］
（イベント画面）
図３は、図１に示す電力管理サーバにより表示されたイベント画面の例を示す図である。
【００５６】
図１〜図３を参照して、たとえば、オペレータが所望の日付を入力する操作を端末装置１７１に対して行うと、端末装置１７１は、オペレータによる操作を示す操作情報を電力管理サーバ１０１へ送信する。電力管理サーバ１０１における情報処理部２４は、端末装置１７１からの操作情報を通信部２１経由で受信し、受信した操作情報に基づいて、オペレータにより入力された日付を把握し、把握した日付を表示処理部２２に通知する。
【００５７】
そして、表示処理部２２は、記憶部２３に保存された調整情報Ｓ１を参照して、情報処理部２４から通知された日付の０時〜２４時の期間にＤＲ期間が含まれる場合、当該日付の期間に含まれる１または複数のＤＲ期間を示すイベント画面Ｓｃ１を表示する処理を行う。
【００５８】
具体的には、イベント画面Ｓｃ１にはタイムスケジュール表Ｔｓ１が含まれ、タイムスケジュール表Ｔｓ１には、オペレータにより入力された日付における１または複数のＤＲ期間が表示される。
【００５９】
たとえば、オペレータにより「２０１７年３月６日」の日付が入力されたとする。そして、２０１７年３月６日の１０時〜１２時をＤＲ期間とするＤＲを「イベント１」とし、２０１７年３月６日の９時〜１０時をＤＲ期間とするＤＲを「イベント２」とすると、「イベント１」および「イベント２」の各々のＤＲ期間を示す図形が、タイムスケジュール表Ｔｓ１の対応する位置にそれぞれ表示される。
【００６０】
また、イベントごとに、ＤＲ期間の開始時刻および終了時刻、ならびにＤＲ期間における目標調整量すなわち依頼電力Ｒ１が、タイムスケジュール表Ｔｓ１に表示される。
【００６１】
具体的には、「イベント１」では、対応するＤＲ期間における依頼電力Ｒ１が１００ｋＷである場合、たとえば「イベント１」のＤＲ期間を示す図形の内部に「１００ｋＷ」の文字が表示される。また、「イベント２」では、対応するＤＲ期間における依頼電力Ｒ１が１５０ｋＷである場合、たとえば「イベント２」のＤＲ期間を示す図形の内部に「１５０ｋＷ」の文字が表示される。
【００６２】
なお、タイムスケジュール表Ｔｓ１には、ＤＲ期間における目標調整量が表示される代わりに、たとえば、分割期間ごとの目標調整量が表示されてもよい。
【００６３】
（全体実績画面）
図４は、図１に示す電力管理サーバにより表示された全体実績画面の例を示す図である。
【００６４】
図１〜図４を参照して、たとえば、図３に示すイベント画面Ｓｃ１が表示されている状況において、オペレータが、イベント画面Ｓｃ１における複数の上記図形のうちの１つを選択する操作を端末装置１７１に対して行うことにより、１つのＤＲ期間を選択すると、端末装置１７１は、オペレータによる操作を示す操作情報を電力管理サーバ１０１へ送信する。電力管理サーバ１０１における情報処理部２４は、端末装置１７１からの操作情報を通信部２１経由で受信し、受信した操作情報に基づいて、オペレータにより選択されたＤＲ期間を把握し、把握したＤＲ期間を表示処理部２２に通知する。
【００６５】
そして、表示処理部２２は、記憶部２３に保存された電力管理情報に基づいて、情報処理部２４から通知されたＤＲ期間における、アグリゲータの管理する複数の需要家の各々の実績値の合計（以下、「全体調整量」とも称する。）を算出する。
【００６６】
そして、表示処理部２２は、オペレータにより選択されたＤＲ期間を示す図形、および当該ＤＲ期間における全体調整量を示す全体実績画面Ｓｃ２を表示する処理を行う。
【００６７】
具体的には、全体実績画面Ｓｃ２は、タイムスケジュール表Ｔｓ２を含む。たとえば、図３に示す「イベント１」に対応するＤＲ期間がオペレータにより選択された場合、「イベント１」に対応するＤＲ期間を示す図形、および当該ＤＲ期間における依頼電力Ｒ１である「１００ｋＷ」の文字が、図４に示す全体実績画面Ｓｃ２におけるタイムスケジュール表Ｔｓ２に表示される。
【００６８】
また、全体実績画面Ｓｃ２には、オペレータにより選択されたＤＲ期間における全体調整量、および複数の需要家へのインセンティブの合計が含まれる。具体的には、当該ＤＲ期間における全体調整量が１１０ｋＷであり、インセンティブの合計が１００００円である場合、「全体調整量１１０ｋＷｈ」および「インセンティブ１００００円」の文字が全体実績画面Ｓｃ２に示される。
【００６９】
また、情報処理部２４は、電力管理情報に基づいて、オペレータにより選択されたＤＲ期間を含む日付の０時〜２４時の期間における、複数の需要家の各々の実績受電量の合計を算出し、算出結果を表示処理部２２に通知する。また、情報処理部２４は、記憶部２３に保存された登録情報の示す需要家ごとの予測受電量に基づいて、当該日付の期間における、複数の需要家の各々の予測受電量の合計を算出し、算出結果を表示処理部２２に通知する。
【００７０】
また、情報処理部２４は、電力管理情報に基づいて、当該日付の期間における、複数の需要家の実績料金の合計を算出し、算出結果を表示処理部２２に通知する。さらに、情報処理部２４は、記憶部２３に保存された登録情報の示す需要家ごとの予測料金に基づいて、当該日付の期間における、複数の需要家の各々の予測料金の合計を算出し、算出結果を表示処理部２２に通知する。
【００７１】
表示処理部２２は、情報処理部２４から通知された、実績受電量の合計の時系列変化、予測受電量の合計の時系列変化、実績料金の合計の時系列変化および予測料金の合計の時系列変化を含む全体実績画面Ｓｃ２を表示する処理を行う。
【００７２】
具体的には、全体実績画面Ｓｃ２では、たとえば、３月６日の０時〜２４時の期間における、予測受電量の合計の時系列変化を示すグラフＧ２１と、実績受電量の合計の時系列変化を示すグラフＧｒ２２とが対応付けて表示される。また、全体実績画面Ｓｃ２では、たとえば、３月６日の０時〜２４時の期間における、予測料金の合計の時系列変化を示すグラフＧｒ２３と、実績料金の合計の時系列変化を示すグラフＧｒ２４とが対応付けて表示される。
【００７３】
さらに、全体実績画面Ｓｃ２には、個別実績ボタンＢ１および制御内容ボタンＢ２が表示される。そして、オペレータが個別実績ボタンＢ１を選択した場合、後述する個別実績画面Ｓｃ３が表示され、オペレータが制御内容ボタンＢ２を選択した場合、後述する制御内容画面Ｓｃ４が表示される。
【００７４】
（個別実績画面）
図５は、図１に示す電力管理サーバにより表示された個別実績画面の例を示す図である。
【００７５】
図１、図２、図４および図５を参照して、たとえば、図４に示す全体実績画面Ｓｃ２が表示されている状況において、オペレータが、全体実績画面Ｓｃ２における個別実績ボタンＢ１を選択する操作を端末装置１７１に対して行うと、端末装置１７１は、オペレータによる操作を示す操作情報を電力管理サーバ１０１へ送信する。電力管理サーバ１０１における情報処理部２４は、端末装置１７１からの操作情報を通信部２１経由で受信し、受信した操作情報に基づいて、オペレータにより個別実績ボタンＢ１が選択されたことを把握し、把握した内容を表示処理部２２に通知する。
【００７６】
そして、表示処理部２２は、記憶部２３に保存された電力管理情報および需要家情報に基づいて、図５に示すように、アグリゲータの管理する需要家ＩＤのリスト、ならびにオペレータにより選択されたＤＲ期間における各需要家の、実績値、予測料金、実績料金およびインセンティブを示す個別実績画面Ｓｃ３を、表示装置に表示する処理を行う。
【００７７】
具体的には、個別実績画面Ｓｃ３は、タイムスケジュール表Ｔｓ３を含む。タイムスケジュール表Ｔｓ３は、図４に示す全体実績画面Ｓｃ２におけるタイムスケジュール表Ｔｓ２と同様である。
【００７８】
また、個別実績画面Ｓｃ３は、さらに、テーブルＴａ３を含む。テーブルＴａ３には、需要家ＩＤのリストが示される。具体的には、需要家ＩＤ「１」，「２」，「３」，・・・にそれぞれ対応する需要家ボタンＩＤｂ１，ＩＤｂ２，ＩＤｂ３，・・・が、テーブルＴａ３に示される。
【００７９】
たとえば、需要家ＩＤ「１」に対応する需要家の３月６日の１０時〜１２時の期間における実績値が４０ｋＷｈであり、当該期間における予測料金が１２００円であり、当該期間における実績料金が１１００円であり、インセンティブが１０００円であるとする。この場合、「実績値（ｋＷｈ）」、「予測料金（円）」、「実績料金（円）」および「インセンティブ（円）」の各項目に対応する箇所に、それぞれ「４０」、「１２００」、「１１００」および「１０００」の文字が表示される。
【００８０】
また、テーブルＴａ３では、各項目に、三角マークで表示されたソートボタンが設けられている。たとえば、オペレータが、これら複数のソートボタンのうちのいずれか１つを選択する操作を端末装置１７１に対して行うと、端末装置１７１は、オペレータによる操作を示す操作情報を作成し、作成した操作情報を電力管理サーバ１０１へ送信する。
【００８１】
電力管理サーバ１０１における表示処理部２２は、通信部２１を経由して端末装置１７１からの操作情報を受信し、受信した操作情報に基づいて、オペレータにより選択されたソートボタンを認識し、当該ソートボタンに対応する所定の基準に従って、テーブルＴａ３における表示をソートする。
【００８２】
具体的には、オペレータが「実績値」の項目に設けられたソートボタンを選択した場合、テーブルＴａ３では、実績値の大きい需要家から順番に各項目の内容が表示される。なお、図５に示すテーブルＴａ３では、一例として、需要家ＩＤの番号順に各項目の内容が表示されている。
【００８３】
（制御内容画面）
図６は、図１に示す電力管理サーバにより表示された制御内容画面の例を示す図である。
【００８４】
図１、図２、図４および図６を参照して、たとえば、図４に示す全体実績画面Ｓｃ２が表示されている状況において、オペレータが、全体実績画面Ｓｃ２における制御内容ボタンＢ２を選択する操作を端末装置１７１に対して行うと、端末装置１７１は、オペレータによる操作を示す操作情報を電力管理サーバ１０１へ送信する。電力管理サーバ１０１における情報処理部２４は、端末装置１７１からの操作情報を通信部２１経由で受信し、受信した操作情報に基づいて、オペレータにより制御内容ボタンＢ２が選択されたことを把握し、把握した内容を表示処理部２２に通知する。
【００８５】
そして、表示処理部２２は、記憶部２３に保存された制御情報に基づいて、負荷２０５ごとの制御内容を示す制御内容画面Ｓｃ４を、表示装置に表示する処理を行う。
【００８６】
具体的には、制御内容画面Ｓｃ４は、タイムスケジュール表Ｔｓ４１を含む。タイムスケジュール表Ｔｓ４１は、図４に示す全体実績画面Ｓｃ２におけるタイムスケジュール表Ｔｓ２と同様である。
【００８７】
また、制御内容画面Ｓｃ４は、さらに、タイムスケジュール表Ｔｓ４２を含む。タイムスケジュール表Ｔｓ４２には、需要家ＩＤのリストが示される。具体的には、需要家ＩＤ「１」，「２」，「３」，・・・にそれぞれ対応する需要家ボタンＩＤｂ１，ＩＤｂ２，ＩＤｂ３，・・・が、タイムスケジュール表Ｔｓ４２に示される。
【００８８】
また、タイムスケジュール表Ｔｓ４２には、需要家ＩＤごとに、対応する需要家施設に設けられた負荷２０５の制御内容が示される。たとえば、ある需要家施設に２つの負荷２０５が設けられている場合、これら２つの負荷２０５の各々の制御内容が示される。
【００８９】
ここでは、需要家ＩＤ「１」，「２」，「３」，・・・にそれぞれ対応する複数の需要家施設があり、各需要家施設には負荷２０５としてエコキュートが１つずつ設けられているとする。そして、「イベント１」のＤＲ期間において、これら複数のエコキュートの動作が電力管理サーバ１０１により制御されたとする。この場合、各エコキュートの制御内容がタイムスケジュール表Ｔｓ４２に示される。
【００９０】
具体的には、タイムスケジュール表Ｔｓ４２には、需要家ＩＤ「１」に対応する需要家施設に設けられたエコキュートが、３月６日の０時〜１０時の期間および１１時〜２４時の期間において、自動的に湯の沸き上げを行う「自動沸き上げ」モードで動作し、３月６日の１０時〜１１時の期間において動作を停止していたことが示される。
【００９１】
また、タイムスケジュール表Ｔｓ４２には、たとえば、需要家ＩＤ「２」に対応する需要家施設に設けられたエコキュートが、３月６日の０時〜１０時の期間および１２時〜２４時の期間において「自動沸き上げ」モードで動作し、３月６日の１０時〜１２時の期間において動作を停止していたことが示される。
【００９２】
また、タイムスケジュール表Ｔｓ４２には、たとえば、需要家ＩＤ「３」に対応する需要家施設に設けられたエコキュートが、３月６日の０時〜１０時の期間および１２時〜２４時の期間において「自動沸き上げ」モードで動作し、３月６日の１０時３０分〜１１時３０分の期間において、ユーザの手動操作により湯の沸き上げを行う「手動沸き上げ」モードで動作し、３月６日の１０時〜１０時３０分の期間および１１時３０分〜１２時の期間において動作を停止していたことが示される。
【００９３】
（詳細画面）
図７は、図１に示す電力管理サーバにより表示された詳細画面の例を示す図である。
【００９４】
図１、図２および図５〜図７を参照して、たとえば、図５に示す個別実績画面Ｓｃ３が表示されている状況において、オペレータが個別実績画面Ｓｃ３における複数の需要家ボタンＩＤｂ１，ＩＤｂ２，ＩＤｂ３，・・・のうちのいずれか１つを選択する操作を端末装置１７１に対して行うと、端末装置１７１は、オペレータによる操作を示す操作情報を電力管理サーバ１０１へ送信する。
【００９５】
また、たとえば、図６に示す制御内容画面Ｓｃ４が表示されている状況において、オペレータが個別実績画面Ｓｃ３における複数の需要家ボタンＩＤｂ１，ＩＤｂ２，ＩＤｂ３，・・・のうちのいずれか１つを選択する操作を端末装置１７１に対して行う場合も同様に、端末装置１７１は、オペレータによる操作を示す操作情報を電力管理サーバ１０１へ送信する。
【００９６】
電力管理サーバ１０１における情報処理部２４は、端末装置１７１からの操作情報を通信部２１経由で受信し、受信した操作情報に基づいて、オペレータにより選択された需要家ＩＤを把握し、把握した需要家ＩＤを表示処理部２２に通知する。
【００９７】
そして、表示処理部２２は、記憶部２３に保存された制御情報および電力管理情報に基づいて、当該需要家ＩＤに対応する需要家施設に関する詳細を示す詳細画面Ｓｃ５を、表示装置に表示する処理を行う。
【００９８】
具体的には、詳細画面Ｓｃ５は、タイムスケジュール表Ｔｓ５を含む。タイムスケジュール表Ｔｓ４１は、図４に示す全体実績画面Ｓｃ２におけるタイムスケジュール表Ｔｓ２と同様である。
【００９９】
また、詳細画面Ｓｃ５は、テーブルＴａ５を含む。テーブルＴａ５には、オペレータにより選択された需要家ＩＤに対応する、ＤＲ期間における、実績値、予測料金、実績料金およびインセンティブが示される。
【０１００】
具体的には、オペレータにより選択された需要家ＩＤが「１」である場合、テーブルＴａには、需要家ＩＤ「１」に対応する需要家の、「実績値（ｋＷｈ）」、「予測料金（円）」、「実績料金（円）」および「インセンティブ（円）」の各項目の内容が示される。
【０１０１】
また、詳細画面Ｓｃ５には、需要家ＩＤ「１」に対応する需要家施設における負荷２０５に関する詳細が示されている。
【０１０２】
たとえば、電力管理サーバ１０１における記憶部２３には、登録情報として、各需要家施設における湯の利用パターンを示す情報が保存されている。そして、表示処理部２２は、当該利用パターンに基づいて、オペレータにより選択された需要家ＩＤに対応する需要家施設における、湯の利用パターンを示すグラフを表示する処理を行う。
【０１０３】
具体的には、図７に示すように、需要家ＩＤ「１」に対応する需要家施設における湯の利用量の時系列変化を示すグラフＧｒ５１が表示される。また、たとえば、当該需要家施設における湯の利用パターンのタイプが、６時〜７時頃の期間および１８時〜２１時頃の期間において多く利用するタイプであることを示す文字「朝夕利用タイプ」が表示される。
【０１０４】
また、３月６日の０時〜２４時の期間における、需要家ＩＤ「１」に対応する需要家施設の予測受電量の時系列変化を示すグラフＧｒ５２と、当該需要家施設の実績受電量の時系列変化を示すグラフＧｒ５３とが対応付けて表示される。
【０１０５】
また、３月６日の０時〜２４時の期間における、当該需要家施設におけるエコキュートの制御内容、および当該制御内容に従って動作したエコキュートにより沸かされた湯の貯湯量の時系列変化を示すグラフＧｒ５４が、グラフＧｒ５１〜Ｇｒ５３に対応付けて表示される。
【０１０６】
さらに、３月６日の０時〜２４時の期間における、１ｋＷあたりの電気料金の時系列変化を示すグラフＧｒ５５、需要家ＩＤ「１」に対応する需要家施設の予測料金の時系列変化を示すグラフＧｒ５６、および当該需要家施設の実績料金の時系列変化を示すグラフＧｒ５７が、グラフＧｒ５１〜Ｇｒ５４およびエコキュートの制御内容に対応付けて表示される。
【０１０７】
なお、図４に示す全体実績画面Ｓｃ２、図５に示す個別実績画面Ｓｃ３、図６に示す制御内容画面Ｓｃ４および図７に示す詳細画面Ｓｃ５は、いずれもＤＲ期間を示す。しかしながら、表示処理部２２は、ＤＲ期間を示さない画面を表示する処理を行ってもよい。たとえば、表示処理部２２は、全体実績画面Ｓｃ２からＤＲ期間を除いた画面を表示する処理を行ってもよい。
【０１０８】
また、表示処理部２２は、たとえば、図４に示す全体実績画面Ｓｃ２または図７に示す詳細画面Ｓｃ５から、予測受電量の合計の時系列変化および予測料金の合計の時系列変化の少なくともいずれか一方を除いた画面を表示する処理を行ってもよい。
【０１０９】
また、表示処理部２２は、たとえば、図４に示す全体実績画面Ｓｃ２または図７に示す詳細画面Ｓｃ５から、実績受電量の合計の時系列変化または実績料金の合計の時系列変化を除いた画面を表示する処理を行ってもよい。
【０１１０】
［動作］
電力管理システム３０１における各装置は、コンピュータを備え、当該コンピュータにおけるＣＰＵ等の演算処理部は、以下のシーケンス図の各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１１１】
図８は、本発明の実施の形態に係る電力管理システムにおけるＤＲ実行前の各処理のシーケンスの一例を示す図である。
【０１１２】
（ＤＲ実行前）
図８を参照して、まず、電力管理サーバ１０１は、需要家ごとの電力の利用パターンおよび必要となる受電量（以下、「必要受電量」とも称する。）を推定する。
【０１１３】
より詳細には、電力管理サーバ１０１における情報処理部２４は、たとえば、複数の対象期間を設定し、記憶部２３における電力管理情報の示す需要家ごとの受電量に基づいて、需要家ごとかつ対象期間ごとに、電力の利用パターンおよび必要受電量を推定する（ステップＳ１０１）。
【０１１４】
次に、電力管理サーバ１０１における情報処理部２４は、推定した電力の利用パターンおよび必要受電量に基づいて、需要家施設に設けられた負荷２０５ごとかつ対象期間ごとに、運転計画を立案する。たとえば、電力管理サーバ１０１は、エコキュートの「自動沸き上げ」モードで動作する期間、「手動沸き上げ」モードで動作する期間、および動作を停止する期間などを計画する（ステップＳ１０２）。
【０１１５】
次に、電力管理サーバ１０１における情報処理部２４は、立案した負荷２０５ごとの運転計画に基づいて、グループごとかつ対象期間ごとに、当該グループに属する複数の需要家が対象期間において調整することのできる電力量をＤＲ可能量として予測する。電力管理サーバ１０１は、予測結果に基づいて、記憶部２３に保存されたＤＲ可能量を示すＤＲ可能量情報を更新する（ステップＳ１０３）。
【０１１６】
次に、電力管理サーバ１０１における情報処理部２４は、予測したＤＲ可能量に基づいて、市場登録情報を作成し、作成した市場登録情報の登録処理を行う。
【０１１７】
より詳細には、オペレータは、たとえば、アグリゲータがＤＲに参加する制御期間、制御期間において調整される電力量の目標である制御量、および電力消費の調整の依頼先の条件である制御条件を入力する操作を端末装置１７１に対して行う。端末装置１７１は、オペレータの操作を示す操作情報を作成し、作成した操作情報を電力管理サーバ１０１へ送信する。
【０１１８】
そして、電力管理サーバ１０１における情報処理部２４は、記憶部２３における需要家情報、電力管理情報、ならびに操作情報から得られた制御期間、制御量および制御条件に基づいて、電力消費の調整の依頼先および内容を示す候補情報を作成する。そして、情報処理部２４は、作成した候補情報、ならびに制御期間および制御量を含む市場登録情報を作成し、作成した市場登録情報を記憶部２３に保存する（ステップＳ１０４）。
【０１１９】
次に、系統側サーバ１２１、卸電力取引所サーバ１１１および電力管理サーバ１０１間において落札処理が行われる。
【０１２０】
より詳細には、電力管理サーバ１０１における情報処理部２４は、保存した市場登録情報に基づいて、自己のＩＤおよび制御期間、ならびにコストおよび調整可能な電力の期待値を商品として卸電力取引所サーバ１１１に登録する。系統側サーバ１２１は、卸電力取引所サーバ１１１に登録された商品の中から、ＤＲ計画を満たすように商品を落札する（ステップＳ１０５）。
【０１２１】
次に、系統側サーバ１２１は、たとえば、落札した商品の内容に沿った、ＤＲ期間および依頼電力Ｒ１を含む調整情報Ｓ１を電力管理サーバ１０１へ送信する（ステップＳ１０６）。なお、系統側サーバ１２１は、落札した商品の内容に沿わない調整情報Ｓ１を電力管理サーバ１０１へ送信することもある。
【０１２２】
次に、電力管理サーバ１０１における通信部２１は、たとえば、他の装置、具体的には系統側サーバ１２１から調整情報Ｓ１を受信し、受信した調整情報Ｓ１を情報処理部２４へ出力する。情報処理部２４は、通信部２１から調整情報Ｓ１を受けると、受けた調整情報Ｓ１を記憶部２３に保存する調整情報登録処理を行う（ステップＳ１０７）。
【０１２３】
次に、電力管理サーバ１０１における情報処理部２４は、ステップＳ１０４において登録した市場登録情報に基づく内容の制御情報を作成する。
【０１２４】
より詳細には、情報処理部２４は、作成した市場登録情報から、各需要家ＩＤ、および当該各需要家ＩＤの示す需要家の調整可能な電力を把握する。そして、情報処理部２４は、記憶部２３に保存されている需要家情報から、取得した各需要家ＩＤに対応する装置ＩＤを制御情報の宛先として取得し、装置ＩＤごとに、対応の宛先、ＤＲ期間、対応の調整可能な電力、および負荷２０５ごとの制御内容を含む制御情報を作成する。そして、情報処理部２４は、作成した各制御情報を通信部２１へ出力する（ステップＳ１０８）。
【０１２５】
次に、通信部２１は、情報処理部２４によって作成された制御情報を依頼先に通知する。より詳細には、通信部２１は、情報処理部２４から装置ＩＤごとの制御情報を受けると、受けた各制御情報を、各々の制御情報に含まれる宛先の示す需要家装置２０２へ送信する（ステップＳ１０９）。
【０１２６】
次に、各需要家装置２０２は、電力管理サーバ１０１から制御情報を受信すると、受信した制御情報を登録する制御情報登録処理を行う（ステップＳ１１０）。
【０１２７】
（ＤＲ実行中）
ＤＲ実行中において、まず、各需要家装置２０２は、自己のＤＲの実績を示す実績値情報を定期的または不定期に電力管理サーバ１０１へ送信する（ステップＳ２０１）。
【０１２８】
次に、電力管理サーバ１０１は、集計処理を行う。より詳細には、電力管理サーバ１０１における情報処理部２４は、各需要家装置２０２からの実績値情報を通信部２１経由で受信し、受信した複数の実績値情報がそれぞれ示す複数の実績値を含む電力管理情報を作成する（ステップＳ２０２）。
【０１２９】
次に、電力管理サーバ１０１における表示処理部２２は、情報処理部２４により作成された電力管理情報に基づく画面を表示装置に表示する表示処理を行う（ステップＳ２０３）。
【０１３０】
図９は、図８に示す表示処理における動作の流れを示すフローチャートの一例を示す図である。
【０１３１】
図９を参照して、表示処理において、まず、電力管理サーバ１０１における情報処理部２４は、オペレータによる日付の入力を受け付ける（ステップＳ４０１）。
【０１３２】
次に、オペレータが、たとえば端末装置１７１を介して日付の入力を行うと、情報処理部２４は、入力された日付の０時〜２４時の期間にＤＲ期間が含まれるか否かを確認し、確認結果を表示処理部２２に通知する（ステップＳ４０２）。
【０１３３】
そして、表示処理部２２は、入力された日付の０時〜２４時の期間にＤＲ期間が含まれない場合（ステップＳ４０２において「ＮＯ」）、たとえば、当該日付の期間における実績受電量の合計の時系列変化を示す画面を、表示装置に表示する処理を行う（ステップ４０３）。
【０１３４】
一方、表示処理部２２はは、入力された日付の０時〜２４時の期間にＤＲ期間が含まれる場合（ステップＳ４０２において「ＹＥＳ」）、当該日付の期間に含まれる１または複数のＤＲ期間を示すイベント画面Ｓｃ１を表示する表示処理を行う。すなわち、表示処理部２２は、たとえば図３に示すイベント画面Ｓｃ１を表示する表示処理を行う（ステップＳ４０４）。
【０１３５】
次に、情報処理部２４は、オペレータによるＤＲ期間の選択操作を受け付ける（ステップＳ４０５）。
【０１３６】
次に、オペレータが、端末装置１７１を介してＤＲ期間の選択結操作を行ったとすると、情報処理部２４は、選択されたＤＲ期間を表示処理部２２に通知し、表示処理部２２は、通知されたＤＲ期間に対応する全体実績画面Ｓｃ２を表示する表示処理を行う。
【０１３７】
すなわち、表示処理部２２は、たとえば図４に示す、全体調整量、複数の需要家へのインセンティブの合計、予測受電量の合計の時系列変化、実績受電量の合計の時系列変化、予測料金の合計の時系列変化、および実績料金の合計の時系列変化を示す全体実績画面Ｓｃ２を表示する表示処理を行う（ステップＳ４０６）。
【０１３８】
次に、情報処理部２４は、オペレータによる個別実績ボタンＢ１または制御内容ボタンＢ２の選択操作を受け付ける（ステップＳ４０７）。
【０１３９】
そして、オペレータが、端末装置１７１を介して個別実績ボタンＢ１の選択操作を行ったとすると、情報処理部２４は、オペレータにより個別実績ボタンＢ１が選択されたことを表示処理部２２に通知する。そして、表示処理部２２は、たとえば図５に示す個別実績画面Ｓｃ３、すなわち需要家ごとのＤＲに対する実績を示す個別実績画面Ｓｃ３を表示する表示処理を行う。
【０１４０】
また、オペレータが、端末装置１７１を介して制御内容ボタンＢ２の選択操作を行ったとすると、情報処理部２４は、オペレータにより制御内容ボタンＢ２が選択されたことを表示処理部２２に通知する。そして、表示処理部２２は、たとえば図６に示す制御内容画面Ｓｃ４、すなわち負荷２０５ごとの制御内容を示す制御内容画面Ｓｃ４を表示する表示処理を行う（ステップＳ４０８）。
【０１４１】
次に、情報処理部２４は、個別実績画面Ｓｃ３または制御内容画面Ｓｃ４が表示されている状況において、オペレータによる需要家ＩＤの選択操作を受け付ける（ステップＳ４０９）。
【０１４２】
次に、オペレータが、端末装置１７１を介して需要家ＩＤの選択操作を行ったとすると、情報処理部２４は、オペレータにより選択された需要家ＩＤを表示処理部２２に通知する。そして、表示処理部２２は、たとえば図７に示す詳細画面Ｓｃ５、すなわち選択された需要家ＩＤに対応する需要家施設に関する詳細を示す詳細画面Ｓｃ５を表示する処理を行う（ステップＳ４１０）。
【０１４３】
再び図８を参照して、次に、電力管理サーバ１０１における情報処理部２４は、電力管理情報を通信部２１経由で系統側サーバ１２１へ送信する（ステップＳ２０４）。
【０１４４】
次に、系統側サーバ１２１は、電力管理サーバ１０１から電力管理情報を受信すると、受信した電力管理情報の示す需要家ごとの受電量を登録する登録処理を行う（ステップＳ２０５）。
【０１４５】
（ＤＲ実行後）
ＤＲ実行後において、まず、各需要家装置２０２は、自己のＤＲの実績を示す実績値情報を電力管理サーバ１０１へ送信する（ステップＳ３０１）。
【０１４６】
次に、電力管理サーバ１０１は、上述したステップＳ２０２と同様に、集計処理を行う（ステップＳ３０２）。
【０１４７】
次に、電力管理サーバ１０１は、上述したステップＳ２０３と同様に、作成した電力管理情報に基づく画面を表示装置に表示する表示処理を行う（ステップＳ３０３）。
【０１４８】
次に、電力管理サーバ１０１は、電力管理情報を系統側サーバ１２１へ送信する（ステップＳ３０４）。
【０１４９】
次に、系統側サーバ１２１は、電力管理サーバ１０１から電力管理情報を受信すると、受信した電力管理情報の示す需要家ごとの受電量を登録する登録処理を行う（ステップＳ３０５）。
【０１５０】
次に、系統側サーバ１２１は、たとえば、登録した需要家ごとの受電量に基づいて、各需要家に支払うべき対価を算出する（ステップＳ３０６）。そして、系統側サーバ１２１を運用する送配電事業者または電力小売事業者は、系統側サーバ１２１により算出された需要家ごとの対価を、対応する複数の需要家へそれぞれ付与する。
【０１５１】
ところで、送配電事業者および電力小売り事業者は、多くの電力需要施設にｘＥＭＳが導入されることにより、全体的な電力需要を広範囲に調整することが容易となる。
【０１５２】
たとえば、送配電事業者および電力小売り事業者は、電力需給の逼迫が予測される場合に、アグリゲータに対して予め節電依頼を行う。そして、アグリゲータは、節電依頼に従って、電力需要施設における機器の運転状態を管理する。
【０１５３】
しかしながら、依頼先における機器の管理内容が適切でない場合、電力需給が逼迫したり、電力の供給が需要を上回ったりし、系統における電力の需給バランスが崩れるため、好ましくない。このため、電力消費の調整の依頼先をより適切に管理することのできる技術が望まれる。
【０１５４】
これに対して、本発明の実施の形態に係る電力管理サーバ１０１では、情報処理部２４が、需要家施設における負荷２０５の制御内容を示す制御情報、ならびに系統から需要家施設への受電量、および従量料金の少なくともいずれか一方を示す電力管理情報を作成する。そして、表示処理部２２が、情報処理部２４により作成された制御情報および電力管理情報に基づいて、負荷２０５の制御内容の時系列変化と、受電量の時系列変化および従量料金の時系列変化の少なくともいずれか一方とを対応付けて表示する処理を行う。
【０１５５】
このような構成により、負荷２０５が制御されることによる効果、すなわち受電量の変化および従量料金の変化のうちの少なくともいずれか一方を、視覚的に容易に把握することができる。したがって、電力消費の調整に関する依頼先のより適切な管理を可能とすることができる。
【０１５６】
また、本発明の実施の形態に係る電力管理サーバ１０１では、表示処理部２２が、系統から要請されるＤＲ期間をさらに対応付けて表示する処理を行う。
【０１５７】
このような構成により、たとえば、ＤＲ期間における受電量と、ＤＲ期間以外の期間における受電量とを比較したり、ＤＲ期間における従量料金と、ＤＲ期間以外の期間における従量料金とを比較したりすることが可能となる。これにより、ＤＲ期間において負荷２０５が制御されることによる効果を明確に把握することができる。
【０１５８】
また、本発明の実施の形態に係る電力管理サーバ１０１では、表示処理部２２が、受電量の時系列変化の予測および従量料金の時系列変化の予測の少なくともいずれか一方を、さらに対応付けて表示する処理を行う。
【０１５９】
このような構成により、たとえば負荷２０５が制御されない場合における予測内容を把握することにより、負荷２０５が制御されることによる効果をより一層明確に把握することができる。
【０１６０】
また、本発明の実施の形態に係る電力管理サーバ１０１では、表示処理部２２が、受電量の時系列変化および従量料金の時系列変化の両方を表示する処理を行う。
【０１６１】
このような構成により、たとえば、従量料金の時系列変化を、負荷２０５が制御されることによる変化であるのか、または時間帯に応じた電気料金の単価の推移による変化であるのかを区別することができるため、負荷２０５が制御されることによる効果をより正確に把握することができる。
【０１６２】
本発明の実施の形態に係る電力管理システム３０１は、電力管理サーバ１０１における表示処理部２２が実績画面を表示する処理を行う構成であるとしたが、これに限定するものではない。電力管理システム３０１は、電力管理サーバ１０１から電力管理情報等を取得し、電力管理情報等に基づいてイベント画面Ｓｃ１、全体実績画面Ｓｃ２、個別実績画面Ｓｃ３、制御内容画面Ｓｃ４および詳細画面Ｓｃ５を表示する処理を行う表示処理装置を備える構成であってもよい。この表示処理装置は、たとえば図１に示す端末装置１７１であってもよいし、端末装置１７１とは異なる装置であってもよい。
【０１６３】
また、本発明の実施の形態に係るサーバの機能の一部または全部が、クラウドコンピューティングによって提供されてもよい。すなわち、本発明の実施の形態に係るサーバが、複数のクラウドサーバ等によって構成されてもよい。
【０１６４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６５】
以上の説明は、以下に付記する特徴を含む。
【０１６６】
［付記１］
施設における機器の制御内容を示す制御情報、ならびに系統から前記施設への電力供給量、および電気料金の少なくともいずれか一方を示す電力管理情報を取得する取得部と、
前記取得部により取得された前記制御情報および前記電力管理情報に基づいて、前記制御内容の時系列変化と、前記電力供給量の時系列変化および前記電気料金の時系列変化の少なくともいずれか一方とを対応付けて表示する処理を行う表示処理部とを備え、
前記表示処理部は、さらに、複数の前記施設の各々への電力供給量の合計、前記複数の施設の各々の電気料金の合計、前記複数の施設のリスト、および前記機器ごとの前記制御内容のうちの少なくともいずれか１つを表示する処理を行うことが可能であり、
前記機器は、エコキュート、二次電池式電気自動車、プラグインハイブリッドカー、照明、テレビ、蓄電池または空調装置であり、
前記機器がエコキュートである場合、前記表示処理部は、さらに、前記機器の設けられた前記施設における湯の利用パターンおよび前記機器により沸かされた湯の貯湯量を表示する処理を行うことが可能である、表示処理装置。
【符号の説明】
【０１６７】
２１  通信部
２２  表示処理部
２３  記憶部
２４  情報処理部
１０１  電力管理サーバ（表示処理装置）
１１１  卸電力取引所サーバ
１２１  系統側サーバ
１７１  端末装置
２０２  需要家装置
２０５  負荷
３０１  電力管理システム
【図１】
2018207709.tif 000003
【図２】
2018207709.tif 000004
【図３】
2018207709.tif 000005
【図４】
2018207709.tif 000006
【図５】
2018207709.tif 000007
【図６】
2018207709.tif 000008
【図７】
2018207709.tif 000009
【図８】
2018207709.tif 000010
【図９】
2018207709.tif 000011